(57)【要約】  特に電磁弁又はセンサとして構成される少なくとも１つの装置（８）を基板（９）と接触させるため電気差込み接触子（１）が提案される。差込み接触子（１）はフォーク状に構成される２つの接触子素子（２，３）から成り、これらの接触子素子が９０°ねじられて内外に差込み可能であり、差込み合わされた状態において、少なくとも４つの点（４〜７）で導電接続部を形成する。
2008516412.tif 000002
【特許請求の範囲】
【請求項１】
特に電磁弁又はセンサとして構成される少なくとも１つの装置（８）を、内外に差込まれる２つの接触子素子（２，３）により、基板（９）と接触させるための電気差込み接触子（１）であって、第１の接触子素子（２）がフォーク状に構成されているものにおいて、第２の接触子素子（３）もフォーク状に構成され、第２の接触子素子（３）が、９０°ねじられて第１の接触子素子（２）へ差込み可能であり、第１の接触子素子（２）が差込み合わされる状態で、導電接続を行いながら、少なくとも４つの点（４〜７）で第２の接触子素子（３）に接触することを特徴とする、電気差込み接触子。
【請求項２】
第１の接触子素子（２）と別の接触子素子（１１）が、基板（９）に注型された打抜き格子と接続されていることを特徴とする、請求項１に記載の電気差込み接触子。
【請求項３】
打抜き格子が電気端子接触子（１０）と接続されていることを特徴とする、請求項２に記載の電気差込み接触子。
【請求項４】
電磁弁又はセンサとして構成される装置（８）が基板（９）に取付け可能であることを特徴とする、請求項１〜３の１つに記載の電気差込み接触子。
【請求項５】
電磁弁又はセンサとして構成される装置（８）の取付けられた状態で、この装置と基板（９）との電気接続が、内外に差込まれる接触子素子（２，３又は１２，１３）により行われることを特徴とする、請求項４に記載の電気差込み接触子。
【請求項６】
電磁弁又はセンサとして構成される装置（８）の取付けられた状態で、円形断面を持つ接続管片（１４）により、液体又は圧縮空気のため基板（９）への圧力漏れのない接続が行われることを特徴とする、請求項１〜５の１つに記載の電気差込み接触子。
【発明の詳細な説明】
【技術分野】
【０００１】  本発明は請求項１の上位概念に記載の電気差込み接触子に関する。
【背景技術】
【０００２】  刃形の第１の接触子部分をフォーク状の接触子部分に差込み可能なこのような差込み接触子は、２つの電気導線の分離可能な接続のために普通用いられており、以前から公知である（例えばドイツ連邦共和国の特許第３２４２６３５号及び特許出願公開第１００２７１２５号明細書参照）。しかしこのような差込み接続装置は、接続すべき両方の導体部分の間に振動が生じる使用の場合、機械的摩擦により接触子の摩耗が起こるという欠点を持っている。これにより長時間を経て、電気接続の質が悪くなることがある。【０００３】  ドイツ連邦共和国特許出願公開第１００２７１２５号明細書から公知の電気差込み接触子では、フォーク状部分が弾性的に構成されている。これにより接続すべき両方の導線の間の振動により起こり得る接触子の摩耗は、フォーク状部分の弾性支持により振動を受止めることにより振動を防止される。しかしこの公知の構成では、両方の接触子の間のねじり運動のため、接触子の摩耗が起こる。このねじり運動は、フォーク状部分の弾性懸架によっては受止められないか、又は一部引起される。
【発明の開示】
【発明が解決しようとする課題】
【０００４】  本発明の基礎になっている課題は、接続すべき部分の間のねじり運動のため上述した接触子摩耗がもはや起こらない差込み可能な電気接触子を提示することである。
【課題を解決するための手段】
【０００５】  この課題は、請求項１に含まれる発明によって解決される。従属請求項は有利な実施形態を含んでいる。【０００６】  実験からわかったように、内外に差込まれて９０°ねじられる２つのフォーク状接触子により、強い振動及び震動でも、接触子の摩擦によるいかなる接触子摩耗も回避される。これにより確実な接触が長時間にわたっても保証される。【０００７】  図面に示されている実施例により、本発明が以下に説明される。
【発明を実施するための最良の形態】
【０００８】  図１は、差込み合わされた状態にある本発明による電気差込み接触子１を、原理的斜視図で示す。差込み接触子１は、第１のフォーク状接触子素子２と同じように構成される第２の接触子素子３から成っている。図示した状態で、両方の接触子素子２，３は、４つの点４，５，６，７で導電接続部を形成している。【０００９】  接触面において接触子舌片（図示せず）に切欠きを設けることにより、必要な場合接触点を２倍にすることもできる。【００１０】  図２は絶縁物から製造される基板９を示し、この基板９上に複数のフォーク状接触子素子対１２，２が直立して取付けられている。これらの接触子素子対は、基板９に注型された図示しない打抜き格子と導電接続されている。打抜き格子の適当な導体条片は、内部で電気端子ソケット１０に沿って導かれている。【００１１】  図２は、更に電子弁又はセンサとして構成される装置８を、まだ接続されない状態で示している。装置８は、電気接続のため、基板９にある対応する接触子素子２，１２に対して９０°ねじられている２つのフォーク状接触子素子３，１３を持っている。装置８は更に円形断面を持つ接続管片１４をもっている。この接続管片により、装置８を基板９にある適当な開口（図示せず）へ差込むことができる。密封環１５により、差込まれた状態で、気体状又は液状媒体に対する密封が行われる。【００１２】  基板９上には、ここには図示してない別の装置も取付け可能であり、別の接触子素子２，１２により電気接続可能である。【００１３】  図３は、差込まれた状態にある装置８を持つ基板９を示している。これからわかるように、内外に差込まれるフォーク状接触子素子２，３又は１２，１３により、確実な電気接続が保証される。この接続は、基板９の場合によっては起こる震動の際、又は基板９と装置８との間の振動の際にも、持続する。下部の接触子素子２，１２は、最初に述べたように、弾性的に支持されている。これにより長手方向における接触子の間の相対運動は起こらない。しかし本発明により接触子を内外に差込まれるフォーク状接触子として構成することによって、ねじり運動も起こらない。これにより従来技術から公知の接触子摩耗が防止される。【００１４】  装置８の差込まれた状態で、接続管片１４及び密封環１５により、基板９に収容される（図示しない）接続管路への圧力漏れのない接続が行われる。これにより装置８は、電磁弁又はセンサ例えば圧力センサとしてその機能を果たすことができる。
【図面の簡単な説明】
【００１５】
【図１】  内外に差込まれる２つのフォーク状接触子素子の斜視図を示す。
【図２】  接触子素子を備えた基板及び取付けられる装置の斜視図を分離された状態で示す。
【図３】  接触子素子を持つ図２の基板及び取付け可能な装置の斜視図を結合された状態で示す。
【図１】
2008516412.tif 000003
【図２】
2008516412.tif 000004
【図３】
2008516412.tif 000005
【国際調査報告】
2008516412.tif 000006
2008516412.tif 000007
2008516412.tif 000008
2008516412.tif 000009
2008516412.tif 000010
2008516412.tif 000011